(57)【特許請求の範囲】
【請求項１】
冷蔵庫ドアの開閉状態を感知するドア開放感知部と、
冷蔵庫用圧縮機の運転時間を測定する運転時間測定部と、
前記冷蔵庫ドアの開閉状態及び前記測定された運転時間に基づいて冷媒が漏れたか否かを判断し、その結果によって制御信号を出力するマイクロコンピュータと、
前記制御信号に基づいて、冷蔵庫内部の全ての電気装置に電源を供給又は遮断する駆動部と
を具備する冷蔵庫用圧縮機の運転制御装置。
【請求項２】
前記駆動部は、前記制御信号に基づいて、前記圧縮機に前記電源を供給又は遮断する請求項１に記載の冷蔵庫用圧縮機の運転制御装置。
【請求項３】
前記マイクロコンピュータは、前記冷蔵庫ドアが開放状態で、または前記冷蔵庫ドアが閉鎖状態で前記圧縮機の運転時間が所定時間以内の時、前記冷蔵庫内部の全ての電気装置に前記電源を供給するための第１制御信号を前記駆動部に出力し、前記冷蔵庫ドアが閉鎖状態で前記圧縮機の運転時間が所定時間を経過した時、前記冷蔵庫内部の全ての電気装置に供給される前記電源を遮断するための第２制御信号を前記駆動部に出力する請求項１に記載の冷蔵庫用圧縮機の運転制御装置。
【請求項４】
冷蔵庫の内部温度を感知する温度感知部と、
冷蔵庫用圧縮機の運転時間を測定する運転時間測定部と、
前記感知された冷蔵庫の内部温度及び前記測定された圧縮機の運転時間に基づいて冷媒が漏れたか否かを判断し、その結果によって制御信号を出力するマイクロコンピュータと、
前記制御信号に基づいて、冷蔵庫内部の全ての電気装置に電源を供給又は遮断する駆動部と
を具備する冷蔵庫用圧縮機の運転制御装置。
【請求項５】
前記マイクロコンピュータは、前記圧縮機の運転時間が所定時間以内の時、または前記圧縮機の運転時間が前記所定時間を経過して、前記冷蔵庫の内部温度が予め設定された温度より低いと、前記冷蔵庫内部の全ての電気装置に前記電源を供給するための第１制御信号を前記駆動部に出力し、前記圧縮機の運転時間が前記所定時間を経過して、前記冷蔵庫の内部温度が前記予め設定された温度より高い時、前記冷蔵庫内部の全ての電気装置に供給される電源を遮断するための第２制御信号を出力する請求項４に記載の冷蔵庫用圧縮機の運転制御装置。
【請求項６】
冷蔵庫ドアの開閉状態を感知する段階と、
前記冷蔵庫ドアが閉鎖状態の時、冷蔵庫用圧縮機の運転時間を測定する段階と、
前記圧縮機の運転時間と予め設定された所定時間とを比較する段階と、
前記圧縮機の運転時間が前記所定時間を経過した時、冷媒漏洩状態であると判断して前記圧縮機の駆動を停止させるために前記圧縮機に供給される電源を遮断する段階と、
前記圧縮機の運転時間が前記所定時間以内の時、前記圧縮機を駆動するために前記圧縮機に前記電源を供給する段階とを順次行う冷蔵庫用圧縮機の運転制御方法。
【請求項７】
前記冷蔵庫ドアの開閉状態を感知する段階は、前記冷蔵庫ドアが開放状態の時、前記圧縮機に前記電源を供給し、前記冷蔵庫ドアが閉鎖状態の時、前記圧縮機の運転時間と所定時間とを比較する請求項６に記載の冷蔵庫用圧縮機の運転制御方法。
【請求項８】
前記圧縮機の運転時間と所定時間とを比較する段階は、前記圧縮機の運転時間が前記所定時間を経過した時、前記圧縮機に供給される前記電源を遮断し、前記圧縮機の運転時間が前記所定時間以内の時、前記圧縮機に前記電源を供給する請求項６に記載の冷蔵庫用圧縮機の運転制御方法。
【請求項９】
前記冷蔵庫に用いられる冷媒は、Ｒ６００ａである請求項６に記載の冷蔵庫用圧縮機の運転制御方法。
【請求項１０】
前記所定時間は２時間以下である請求項６に記載の冷蔵庫用圧縮機の運転制御方法。
【請求項１１】
冷蔵庫用圧縮機の運転時間を測定する段階と、
前記圧縮機の運転時間と予め設定された所定時間とを比較する段階と、
前記圧縮機の運転時間が前記所定時間を経過した時、前記冷蔵庫の内部温度と予め設定された温度とを比較する段階と、
前記冷蔵庫の内部温度が前記予め設定された温度より高い時、冷媒漏洩状態であると判断して前記圧縮機の駆動を停止させるために前記圧縮機に供給される電源を遮断する段階と、
前記冷蔵庫の内部温度が前記予め設定された温度より低い時、前記圧縮機を駆動するために前記圧縮機に前記電源を供給する段階と、
を順次行う冷蔵庫用圧縮機運転制御方法。
【請求項１２】
前記圧縮機の運転時間と前記所定時間とを比較する段階は、前記冷蔵庫用圧縮機の運転時間が前記所定時間以内の時、前記圧縮機に前記電源を供給し、前記冷蔵庫用圧縮機の運転時間が前記所定時間を経過した時、前記冷蔵庫の内部温度と前記予め設定された温度とを比較する請求項１１に記載の冷蔵庫用圧縮機の運転制御方法。
【請求項１３】
前記冷蔵庫の内部温度と予め設定された温度とを比較する段階は、前記冷蔵庫の内部温度が前記予め設定された温度より高い時、前記圧縮機の駆動を停止させるために前記圧縮機に供給される電源を遮断し、前記冷蔵庫の内部温度が前記予め設定された温度より低い時、前記圧縮機を駆動するために前記圧縮機に前記電源を供給する段階と、を行う請求項１１に記載の冷蔵庫用圧縮機の運転制御方法。
【請求項１４】
前記冷蔵庫に用いられる冷媒はＲ６００ａである請求項１１に記載の冷蔵庫用圧縮機の運転制御方法。
【請求項１５】
前記所定時間は２時間以下である請求項１１に記載の冷蔵庫用圧縮機の運転制御方法。
【発明の詳細な説明】
【０００１】
【発明の属する技術分野】
本発明は、冷蔵庫用圧縮機に関し、特に、冷蔵庫用圧縮機の異常の存否を自動に検出することで、冷蔵庫用圧縮機の運転を正確で安全に制御し得る冷蔵庫用圧縮機の運転制御装置及びその方法に関する。
【０００２】
【従来の技術】
一般に、冷蔵庫は、大気圧に近い圧力で容易に蒸発する冷媒の蒸発及び凝縮を反復して冷凍作用を行う蒸気圧縮冷凍法(Vapor Compression Refrigeration)を使用する。また、冷蔵庫に使用される冷媒としては、フレオンガスが広用されるが、該フレオンガスは、地球オゾン層破壊の原因となるため、新しい代替溶媒の一つとしてＲ６００ａ冷媒が用いられている。このＲ６００ａ冷媒は、オゾン破壊指数(Ozone Depletion Potential)及び地球温暖化指数(Global Warming Potential)が０の環境親和的冷媒であって、既存の冷媒に比べて注入量が少なく、前記既存の冷媒を使用する時よりも施設費及び他の費用が廉価であるため、近時は、フレオンガスに代えてＲ６００ａ冷媒が広用されている。
【０００３】
図４は、Ｒ６００ａを用いる圧縮機を備えた冷蔵庫の概略的な構成を示したブロック図である。図４に示すように、従来の冷蔵庫は、電源を供給する電源部１００と、食物を低温状態で貯蔵する冷蔵室１１０と、食物を冷凍状態で貯蔵する冷凍室１２０と、それら冷蔵室１１０及び冷凍室１２０の前面に開閉自在に軸支された冷蔵庫ドア２００と、冷蔵室１１０及び冷凍室１２０の内部温度を温度センサー１０によって感知する温度感知部７００と、該温度感知部７００から感知された温度及び使用者により予め設定された温度に基づいて制御信号を出力するマイクロコンピュータ６００と、冷気を発生する圧縮機４００と、マイクロコンピュータ６００から出力された制御信号に基づいてファンモータ３００及び圧縮機４００を制御するために、圧縮機４００に電源を供給又は遮断する駆動部５００とを具備している。
【０００４】
以下、図５を参照して、このように構成された冷蔵庫用圧縮機の運転制御方法を説明する。
図５は、従来技術による冷蔵庫用圧縮機の運転制御方法を示した動作フローチャートである。図５に示すように、使用者が冷蔵庫の運転モードを選択すると、冷蔵室１１０及び冷凍室１２０の内部温度を感知する段階（Ｓ２０）と、その感知された冷蔵室１１０及び冷凍室１２０の内部温度と前記予め設定された温度とを比較する段階（Ｓ２１）と、この比較結果に基づき、冷蔵室１１０及び冷凍室１２０の内部温度が前記予め設定された温度より高い時、圧縮機４００を駆動するために圧縮機４００に電源を供給する段階（Ｓ２２）と、冷蔵室１１０及び冷凍室１２０の内部温度が前記予め設定された温度より低い時、圧縮機４００の駆動を停止させるために圧縮機４００に供給される電源を遮断する段階（Ｓ２３）と、を順次行う。
【０００５】
以下、従来技術による冷蔵庫用圧縮機運転制御方法を説明する。
まず、使用者が冷蔵庫の運転モードを選択すると、温度感知部７００は冷蔵室１１０及び冷凍室１２０の内部温度を感知し、該感知された温度情報をマイクロコンピュータ６００に出力する（Ｓ２０）。次いで、該マイクロコンピュータ６００は、温度感知部７００から感知された温度及び前記予め設定された温度に基づいて制御信号を駆動部５００に出力する。このとき、温度感知部７００から感知された温度が前記予め設定された温度より高い場合には、圧縮機４００に電源を供給するための第１制御信号を出力し、温度感知部７００から感知された温度が前記予め設定された温度より低い場合には、圧縮機４００に供給される電源を遮断するための第２制御信号を出力する（Ｓ２１）。
【０００６】
次いで、駆動部５００は、マイクロコンピュータ６００から出力された第１及び第２制御信号に基づいて圧縮機４００を制御するが、第１制御信号の入力を受けて、圧縮機４００を継続的に駆動するときは、圧縮機４００に電源１００を供給し（Ｓ２２）、第２制御信号の入力を受けて圧縮機４００を停止させるときは、圧縮機４００に供給される電源を遮断する（Ｓ２３）。
【０００７】
従って、従来技術による冷蔵庫用圧縮機の運転制御方法においては、温度感知部７００から感知された温度及び前記予め設定された温度に応じてマイクロコンピュータ６００から出力する制御信号に基づいて、駆動部５００により圧縮機４００の運転を制御することで、冷蔵室１１０及び冷凍室１２０の内部温度は、前記予め設定された温度より常時低く維持され、一般に、冷蔵庫用圧縮機は、温度感知部７００によって検出された温度及び前記予め設定された温度に基づいて、時間当り０．１〜１０回のオン／オフ周期で駆動される。
【０００８】
【発明が解決しようとする課題】
然るに、このような従来技術による冷蔵庫用圧縮機の運転制御方法では、冷蔵庫ドア２００が閉鎖状態の時、冷媒が漏洩していても、圧縮機４００はオン／オフ周期により駆動されるため、冷蔵庫内部の電気装置のオン／オフに際して発生する電気スパークによる冷媒の爆発が危惧される。
【０００９】
本発明は、このような従来技術の問題に鑑みてなされたもので、冷蔵庫ドアが閉鎖状態の時、圧縮機の運転時間に基づいて冷蔵庫内部の電気装置に供給される電源を制御することで、冷媒の漏洩によって発生する爆発を未然に防止し得る冷蔵庫用圧縮機の運転制御装置及びその方法を提供することを目的とする。
【００１０】
また、本発明は、冷蔵庫用圧縮機の運転時間が所定時間を経過する時、冷蔵庫の内部温度に基づいて冷蔵庫内部の電気装置に供給される電源を制御することで、冷媒の漏洩によって発生する爆発を防止し得る冷蔵庫用圧縮機の運転制御装置及びその方法を提供することを目的とする。
【００１１】
【課題を解決するための手段】
このような目的を達成するため、本発明に係る冷蔵庫用圧縮機の運転制御方法は、圧縮機を駆動するために前記圧縮機に前記電源を供給する段階と、前記圧縮機に電源が供給される時、前記冷蔵庫ドアの開閉状態を継続的に感知する段階と、前記冷蔵庫ドアが閉鎖状態の時、前記圧縮機の運転時間と前記所定時間とを比較する段階と、前記圧縮機の運転時間が所定時間を経過した時、冷媒漏洩状態であると判断して前記圧縮機の駆動を停止させるために前記圧縮機の供給電源を遮断する段階と、を順次行う。
【００１２】
また、前記圧縮機を駆動するために前記圧縮機に前記電源を供給する段階と、前記圧縮機に電源が供給される時、前記圧縮機の運転時間を継続的に感知する段階と、前記圧縮機の運転時間が所定時間経過すると、前記冷蔵庫の内部温度と前記予め設定された温度とを比較する段階と、前記冷蔵庫の内部温度が前記予め設定された温度より高い時、冷媒漏洩状態であると判断して前記圧縮機の駆動を停止させるために、前記圧縮機に供給される前記電源を遮断する段階と、を順次行う。
【００１３】
また、本発明に係る冷蔵庫用圧縮機の運転制御装置は、冷蔵庫ドアの開閉状態を感知するドア開放感知部と、圧縮機の運転時間を測定する運転時間測定部と、前記冷蔵庫ドアの開閉状態及び前記測定された運転時間に基づいて冷媒が漏れたか否かを判断し、その結果によって制御信号を出力するマイクロコンピュータと、前記制御信号に基づいて前記圧縮機を制御するために、前記圧縮機に電源を供給又は遮断する駆動部とを具備する。
【００１４】
更に、冷蔵庫の内部温度を感知する温度感知部と、圧縮機の運転時間を測定する運転時間測定部と、前記感知された内部温度及び前記測定された運転時間に基づいて冷媒が漏れたか否かを判断し、その結果によって制御信号を出力するマイクロコンピュータと、前記制御信号に基づいて前記圧縮機を制御するために、前記圧縮機に電源を供給又は遮断する駆動部とを具備する。
【００１５】
【発明の実施の形態】
以下、添付図面を参照して、本発明の実施形態を説明する。図１は、本発明に係る冷蔵庫の概略的な構成を示したブロック図である。図１に示すように、本発明に係る冷蔵庫は、前記冷蔵庫に電源を供給する電源部１００と、食物を低温状態に貯蔵する冷蔵室１１０と、食物を冷凍状態に貯蔵する冷凍室１２０と、それら冷蔵室１１０及び冷凍室１２０の前面に軸支されて、使用者が食物を貯蔵する時、又は該貯蔵された食物を取り出す時に開閉される冷蔵庫ドア２００と、冷蔵室１１０及び冷凍室１２０の内部温度を感知する温度感知部７００と、冷蔵庫ドアの開閉状態をドアスイッチ２０によって感知するドア開放感知部８００と、圧縮機の運転時間を測定する運転時間測定部９００と、前記感知された冷蔵庫ドアの開閉状態及び前記測定された運転時間に基づいて冷媒が漏れたか否かを判断し、その結果によって制御信号を出力するマイクロコンピュータ６００と、冷気を発生する圧縮機４００と、マイクロコンピュータ６００から出力された制御信号に基づいてファンモータ３００及び圧縮機４００を制御するために、圧縮機４００に電源を供給又は遮断する駆動部５００とを具備している。
【００１６】
図２は、本発明に係る冷蔵庫用圧縮機の運転制御方法の第１実施形態を示した動作フローチャートである。図２に示すように、本発明に係る冷蔵庫用圧縮機の運転制御方法は、冷蔵庫ドアが閉鎖状態の時、圧縮機の運転時間に基づいて冷媒の漏洩を判断するため、冷蔵庫ドア２００が閉鎖状態であるかを感知する段階（Ｓ４０）と、冷蔵庫ドアが閉鎖状態の時、圧縮機４００の運転時間を測定する段階（Ｓ４１）と、圧縮機４００の運転時間と前記予め設定された所定時間とを比較する段階（Ｓ４２）と、圧縮機の運転時間が前記所定時間を経過した時、圧縮機４００の駆動を停止させるために、圧縮機４００に供給される電源１００を遮断する段階（Ｓ４３）と、圧縮機の運転時間が前記所定時間以内の時、圧縮機４００を駆動するために、圧縮機４００に電源を供給する段階（Ｓ４４）と、を順次行うようになっている。
【００１７】
即ち、まず、使用者が冷蔵庫の運転モードを選択すると、ドア開放感知部８００は冷蔵庫ドアの開閉状態を継続的に感知し、冷蔵庫ドアの開閉状態が変化すると、感知信号がマイクロコンピュータ６００に出力される（Ｓ４０）。
次いで、運転時間測定部９００は圧縮機４００の運転時間を測定し、該測定された運転時間情報がマイクロコンピュータ６００に出力される（Ｓ４１）。
【００１８】
次いで、該マイクロコンピュータ６００は、ドア開放感知部から感知された信号及び運転時間測定部により測定された運転時間情報に基づいて、駆動部５００に制御信号を出力するが、このとき、マイクロコンピュータ６００は、冷蔵庫ドア２００が開放状態の時は、圧縮機４００を駆動するための第１制御信号を駆動部５００に出力し、冷蔵庫ドア２００が閉鎖状態の時は、圧縮機の運転時間と前記予め設定された所定時間とを比較して、圧縮機４００の運転時間が前記所定時間以内の時、圧縮機４００に電源を供給するための第１制御信号を駆動部５００に出力し、圧縮機４００の運転時間が前記所定時間を経過した時には、圧縮機４００に供給される電源１００を遮断するための第２制御信号を駆動部５００に出力する（Ｓ４２）。
【００１９】
次いで、駆動部５００は、マイクロコンピュータ６００から出力された第１及び第２制御信号に基づいて圧縮機４００を制御するために、圧縮機４００に電源を供給又は遮断するが、このとき、駆動部５００は、第１制御信号の入力を受けると、圧縮機４００を駆動するための電源を供給し（Ｓ４４）、第２制御信号の入力を受けると、圧縮機４００を停止させるために電源を遮断する（Ｓ４３）。
【００２０】
次いで、冷蔵庫ドア２００が閉鎖状態で圧縮機４００が継続的に駆動されている場合、マイクロコンピュータ６００は、前記測定された運転時間と前記予め設定された所定時間とを比較して、測定された運転時間が前記所定時間を経過している場合に冷蔵庫の冷媒が漏洩していると判断し、第２制御信号を駆動部５００に出力する。該駆動部５００は、圧縮機４００の駆動を停止させるために、圧縮機４００に供給される電源１００を遮断する。これにより、冷蔵庫内部の電気装置のオン／オフ動作により電気スパークが発生して冷媒が爆発する危険を未然に防止する。この時、駆動部５００は、冷蔵庫内部の電気装置がオン／オフされながら発生する電気スパークを未然に防止するために、冷蔵庫内部の全ての電気装置への供給電源を遮断する。
【００２１】
従って、冷蔵庫ドア２００が閉鎖状態において冷媒が漏洩していても、圧縮機４００は継続的に駆動されるが、運転時間測定部９００により測定された圧縮機４００の運転時間が２時間以上経過すると、駆動部５００は、冷蔵庫内部の全ての電気装置に供給される電源を遮断し、冷蔵庫内部の電気装置のオン／オフによって発生する電気スパークが防止されて、冷媒の爆発が未然に防止される。
【００２２】
図３は、本発明に係る冷蔵庫用圧縮機の運転制御方法の第２実施形態を示した動作フローチャートである。図３に示すように、本発明に係る冷蔵庫用圧縮機の運転制御方法は、冷蔵庫用圧縮機の運転時間が前記予め設定された所定時間を経過した時、前記冷蔵庫の内部温度に基づいて冷媒の漏洩を判断するため、冷蔵庫用圧縮機４００の運転時間を測定する段階（Ｓ５０）と、該測定された圧縮機４００の運転時間と所定時間とを比較して、圧縮機の運転時間が前記所定時間を経過した時（Ｓ５１）、冷蔵庫の内部温度と前記予め設定された温度とを比較する段階（Ｓ５２）と、冷蔵庫の内部温度が前記予め設定された温度より高い時、圧縮機の駆動を停止させるために、圧縮機に供給される電源を遮断する段階（Ｓ５３）と、冷蔵庫の内部温度が前記予め設定された温度より低い時、圧縮機を駆動するために、圧縮機に電源を供給する段階（Ｓ５４）と、を順次行う。
【００２３】
以下、本発明に係る冷蔵庫用圧縮機の運転制御方法を説明する。
まず、使用者が冷蔵庫の運転モードを選択する時、運転時間測定部９００は冷蔵庫用圧縮機の運転時間を継続的に測定し、該測定された運転時間情報をマイクロコンピュータ６００に出力する（Ｓ５０）。
【００２４】
次いで、該マイクロコンピュータ６００は、運転時間測定部９００により測定された運転時間及び前記所定時間に基づいて、駆動部５００に制御信号を出力するが、このとき、マイクロコンピュータ６００は、運転時間が前記所定時間を経過した時、圧縮機４００を駆動するための第１制御信号を駆動部５００に出力し、冷蔵庫の内部温度が前記予め設定された温度より低い時、マイクロコンピュータ６００は、圧縮機４００に電源を供給するための第１制御信号を駆動部５００に出力し、その後、冷蔵庫の内部温度が前記予め設定された温度より高い時、マイクロコンピュータ６００は、圧縮機４００に供給される電源を遮断するための第２制御信号を駆動部５００に出力し、該駆動部５００は、マイクロコンピュータ６００から出力された第１及び第２制御信号に基づいて圧縮機４００を制御するために、該圧縮機４００に電源を供給又は遮断する。即ち、駆動部５００は、第１制御信号の入力を受けると、圧縮機４００を駆動するために該圧縮機４００に電源を供給し、第２制御信号の入力を受けると、圧縮機４００を停止させるために該圧縮機４００の電源を遮断する。
【００２５】
従って、圧縮機４００の運転時間が前記所定時間を経過して駆動されると、マイクロコンピュータ６００は、感知された内部温度と予め設定された温度とを比較し、感知された内部温度が前記予め設定された温度より高いと、冷蔵庫の冷媒が漏洩していると判断して、第２制御信号を駆動部５００に出力し、該駆動部５００は、第２制御信号に基づいて圧縮機４００の駆動を停止させるために、圧縮機４００に供給される電源が遮断されることで、冷蔵庫内部の電気装置がオン／オフされながら発生する電気スパークにより冷媒の爆発現象が防止される。この時、駆動部５００は、冷蔵庫内部の電気装置の全てがオン／オフされながら電気スパークを防止し得るように、冷蔵庫内部の全ての電気装置に供給される電源を遮断し得るようになっている。
【００２６】
尚、本発明に係る冷蔵庫用圧縮機の運転制御方法は、当業者なら本発明の技術思想を逸脱しない範囲で多様な変更及び修正が可能である。従って、本発明の技術的範囲は、明細書の詳細な説明に記載された内容に限定されることなく、特許請求の範囲によって定められるべきである。
【００２７】
【発明の効果】
以上、説明したように、本発明に係る冷蔵庫用圧縮機の運転制御装置及びその方法によれば、冷蔵庫ドアが閉鎖状態の時、圧縮機の運転時間に基づいて冷媒の漏洩を判断するため、冷蔵庫ドア２００が閉鎖状態で圧縮機４００が継続的に駆動される時、又は、圧縮機の運転時間が前記予め設定された所定時間を経過して、冷蔵庫の内部温度が前記予め設定された温度より高い時、マイクロコンピュータ６００は、冷媒が漏洩されると判断して第２制御信号を前記駆動部に出力し、駆動部５００は、第２制御信号に基づいて、冷蔵庫内部の全ての電気装置に供給される電源１００を遮断するようになっているため、冷蔵庫内部の電気装置から発生する電気スパークを防止して、冷媒の漏洩により発生する爆発の憂いを未然に防止し得るという効果を奏する。
【図面の簡単な説明】
【図１】本発明に係る冷蔵庫の概略的な構成を示したブロック図である。
【図２】本発明に係る冷蔵庫用圧縮機の運転制御方法の第１実施形態を示した動作フローチャートである。
【図３】本発明に係る冷蔵庫用圧縮機の運転制御方法の第２実施形態を示した動作フローチャートである。
【図４】従来技術による冷蔵庫の概略的な構成を示したブロック図である。
【図５】従来技術による冷蔵庫用圧縮機の運転制御方法を示した動作フローチャートである。
【符号の説明】
１０…温度センサー
２０…ドアスイッチ
１００…電源部
１１０…冷蔵室
１２０…冷凍室２００…冷蔵庫ドア
３００…ファンモータ
４００…圧縮機
５００…駆動部
６００…マイクロコンピュータ
７００…温度感知部
８００…ドア開放感知部
９００…運転時間測定部
【図１】
0004261245.tif 000002
【図２】
0004261245.tif 000003
【図３】
0004261245.tif 000004
【図４】
0004261245.tif 000005
【図５】
0004261245.tif 000006